(57)【要約】【課題】製品のプロセススケールや製品規模スケールに応じた用語を用いて仕様書を作成することが可能にする。【解決手段】用語集選択手段１ａは、仕様書の対象となる業務工程に応じたプロセススケールと、対象となる製品が空間を占める大きさに応じた製品規模スケールとから構成される製品フィールドの中から、１のプロセススケールと、１の製品規模スケールとから決定される指定フィールドが指定されると、仕様書に用いられる用語の集合体である用語集２が記憶されている用語集記憶手段１ｂから、指定フィールドに対応付けられた指定用語集２ａを選択する。用語抽出手段１ｃは、仕様書を作成するための文字入力操作が行われた場合は、指定用語集２ａから文字入力操作に対応する用語３を抽出し、抽出した用語３を文字列候補として提示する。【選択図】図１
2007265081.tif 000002
【特許請求の範囲】
【請求項１】
所定の製品に関する仕様書の作成を支援する仕様書作成支援プログラムにおいて、
コンピュータを、
前記仕様書の対象となる業務工程に応じたプロセススケールと、対象となる製品が空間を占める大きさに応じた製品規模スケールとから特定される製品フィールドの中から、１の前記プロセススケールと１の前記製品規模スケールとが指定されることによって指定フィールドが特定されると、前記仕様書に用いられる用語の集合体である用語集が前記製品フィールドに関連付けて記憶されている用語集記憶手段から、前記指定フィールドに対応付けられた指定用語集を選択する用語集選択手段、
前記仕様書を作成するための文字入力操作が行われた場合は、前記指定用語集から前記文字入力操作に対応する用語を抽出し、前記抽出した用語を文字列候補として提示する用語抽出手段、
として機能させることを特徴とする仕様書作成支援プログラム。
【請求項２】
前記用語集選択手段として、前記指定用語集とともに、前記指定フィールドに所定の範囲内で近傍する近傍フィールドに対応付けられた近傍用語集を、前記近傍フィールドに対応する前記プロセススケールおよび前記製品規模スケールの値と、前記指定フィールドに対応する前記プロセススケールおよび前記製品規模スケールの値との差に応じて重み付けし、
前記用語抽出手段として、前記重み付けに応じた優先順位で前記指定用語集および前記近傍用語集を検索する、
処理を実行させることを特徴とする請求項１記載の仕様書作成支援プログラム。
【請求項３】
前記コンピュータに、さらに、
作成された前記仕様書を作成時に設定された前記指定フィールドに関連付け、登録仕様書として仕様書記憶手段に登録する仕様書登録手段、
前記プロセススケールおよび前記製品規模スケールの少なくともどちらか一方と、前記用語を含むクエリが設定されて前記登録仕様書の検索要求が行われると、前記クエリに基づいて前記仕様書記憶手段を検索し、前記クエリに適合する前記登録仕様書を抽出する仕様書検索手段、
として機能させることを特徴とする請求項１記載の仕様書作成支援プログラム。
【請求項４】
前記仕様書検索手段として、前記クエリに基づいて検索された前記登録仕様書を起点として、前記登録仕様書と前記登録仕様書に関連する登録仕様書とを結び付けるリンク情報を順にたどり、前記リンク情報によって結び付けられた前記登録仕様書を全て抽出し、抽出された前記登録仕様書に出現する前記クエリ内の用語の単語出現頻度を算出し、前記単語出現頻度に応じて抽出された前記登録仕様書間の類似度を特定する、
処理を実行することを特徴とする請求項３記載の仕様書作成支援プログラム。
【請求項５】
所定の製品に関する仕様書の作成を支援する仕様書作成支援装置において、
前記仕様書に用いられる用語の集合体である用語集が、前記仕様書の対象となる業務工程に応じたプロセススケールと対象となる製品が空間を占める大きさに応じた製品規模スケールとから特定される製品フィールドに関連付けて記憶されている用語集記憶手段と、
前記製品フィールドの中から、１の前記プロセススケールと１の前記製品規模スケールとが指定されることによって指定フィールドが特定されると、前記指定フィールドに対応付けられた指定用語集を選択する用語集選択手段と、
前記仕様書を作成するための文字入力操作が行われた場合は、前記指定用語集から前記文字入力操作に対応する用語を抽出し、前記抽出した用語を文字列候補として提示する用語抽出手段と、
を有することを特徴とする仕様書作成支援装置。
【発明の詳細な説明】
【技術分野】
【０００１】
本発明は、所定の製品に関する仕様書の作成を支援する仕様書作成支援プログラムおよび仕様書作成支援装置に関する。
【背景技術】
【０００２】
従来から製品を開発する際に、製品の仕様を定義するための仕様書が作成されてきた。
図１５は、従来の仕様書の管理方法を示す図である。図１５に示すように、仕様書ドキュメント５００は、作成された仕様書６００を管理するためのドキュメントである。仕様書ドキュメント５００には、仕様書６００に付された仕様書番号に対応付けて業務工程や名称が設定されている。
【０００３】
そして、仕様書を作成するときなどに所望の仕様書を検索するときには、仕様書ドキュメント５００に設定されている業務工程や名称から所望の仕様書の仕様書番号を特定し、仕様書番号から所望の仕様書を選び出していた。このように、仕様書の作成には多大な労力が必要であった。そこで、仕様書を効率よく作成するために仕様書作成支援装置が提案されている（特許文献１参照）。
【特許文献１】特開２００４−５４４１５号公報
【発明の開示】
【発明が解決しようとする課題】
【０００４】
しかし、仕様書は、製品の開発者各々が辞書を用いて調べることによって作成されることが多く、開発者が使い慣れた語句を用いて仕様書を作成するので、仕様書に記載される用語が開発者によって区々であることが多い。また、用語を調べるための辞書は高価なものが多い。したがって、製品開発にかかるコストが増大してしまうという問題もあった。
【０００５】
また、仕様書の作成時において、開発する製品の業務工程に応じたプロセススケールや製品の大きさに応じた製品規模スケールなどを考慮して仕様書が作成されていなかった。したがって、製品のプロセススケールや製品規模スケールと必ずしも適合していない用語が仕様書に記載されてしまうという問題もあった。また、後続の製品の開発者などが作成しようとする仕様書と類似の仕様書がすでにあるかを調べるときなどに、どの用語を用いて検索してよいかが明確ではなくなるため、所望の仕様書を探し当てにくいという情報検索ノイズの問題があった。
【０００６】
本発明はこのような点に鑑みてなされたものであり、製品のプロセススケールや製品規模スケールに応じた用語を用いて仕様書を作成することが可能な仕様書作成支援プログラムおよび仕様書作成支援装置を提供することを目的とする。
【課題を解決するための手段】
【０００７】
本発明では上記問題を解決するために、図１に示すような、所定の製品に関する仕様書の作成を支援する仕様書作成支援プログラムが提供される。この仕様書作成支援プログラムに基づいて、コンピュータ内に図１に示す処理機能が実現される。すなわち、仕様書の対象となる業務工程に応じたプロセススケールと、対象となる製品が空間を占める大きさ（筐体やパッケージなどの容積）に応じた製品規模スケールとから構成される製品フィールドの中から、１のプロセススケールと、１の製品規模スケールとから決定される指定フィールドが指定されると、仕様書に用いられる用語の集合体である用語集２が記憶されている用語集記憶手段１ｂから、指定フィールドに対応付けられた指定用語集２ａを選択する用語集選択手段１ａ、仕様書を作成するための文字入力操作が行われた場合は、指定用語集２ａから文字入力操作に対応する用語３を抽出し、抽出した用語３を文字列候補として提示する用語抽出手段１ｃとして機能させることを特徴とする仕様書作成支援プログラムが提供される。
【０００８】
これにより、用語集選択手段１ａは、仕様書の対象となる業務工程に応じたプロセススケールと、対象となる製品が空間を占める大きさに応じた製品規模スケールとから構成される製品フィールドの中から、１のプロセススケールと、１の製品規模スケールとから決定される指定フィールドが指定されると、仕様書に用いられる用語の集合体である用語集２が記憶されている用語集記憶手段１ｂから、指定フィールドに対応付けられた指定用語集２ａを選択する。用語抽出手段１ｃは、仕様書を作成するための文字入力操作が行われた場合は、指定用語集２ａから文字入力操作に対応する用語３を抽出し、抽出した用語３を文字列候補として提示する。
【０００９】
また、本発明では、所定の製品に関する仕様書の作成を支援する仕様書作成支援装置において、前記仕様書に用いられる用語の集合体である用語集が、前記仕様書の対象となる業務工程に応じたプロセススケールと対象となる製品が空間を占める大きさに応じた製品規模スケールとから特定される製品フィールドに関連付けて記憶されている用語集記憶手段と、前記製品フィールドの中から、１の前記プロセススケールと１の前記製品規模スケールとが指定されることによって指定フィールドが特定されると、前記指定フィールドに対応付けられた指定用語集を選択する用語集選択手段と、前記仕様書を作成するための文字入力操作が行われた場合は、前記指定用語集から前記文字入力操作に対応する用語を抽出し、前記抽出した用語を文字列候補として提示する用語抽出手段とを有することを特徴とする仕様書作成支援装置が提供される。
【００１０】
これにより、用語集記憶手段が、仕様書に用いられる用語の集合体である用語集が、仕様書の対象となる業務工程に応じたプロセススケールと対象となる製品が空間を占める大きさに応じた製品規模スケールとから特定される製品フィールドに関連付けて記憶する。用語集選択手段が、製品フィールドの中から、１のプロセススケールと１の製品規模スケールとが指定されることによって指定フィールドが特定されると、指定フィールドに対応付けられた指定用語集を選択する。用語抽出手段が、仕様書を作成するための文字入力操作が行われた場合は、指定用語集から文字入力操作に対応する用語を抽出し、抽出した用語を文字列候補として提示する。
【発明の効果】
【００１１】
本発明の仕様書作成支援プログラムおよび仕様書作成支援装置によれば、指定フィールドに対応付けられた指定用語集の中から、仕様書を作成するための文字入力操作に対応する用語を抽出するので、製品のプロセススケールや製品規模スケールに応じた用語を用いて仕様書を作成することが可能となる。
【発明を実施するための最良の形態】
【００１２】
以下、本発明の実施の形態について図面を参照して詳細に説明する。
〔第１の実施の形態〕
まず、実施の形態に適用される発明の概要について説明し、その後、実施の形態の具体的な内容を説明する。
【００１３】
図１は、本実施の形態に適用される発明の概念図である。図１に示すように、コンピュータ１は、用語集選択手段１ａ、用語集記憶手段１ｂ、および用語抽出手段１ｃを備えている。
【００１４】
用語集記憶手段１ｂには、仕様書に用いられる用語（略語、単位などを含む。以下同じ。）の集合体である用語集２が、仕様書の対象となる業務工程に応じたプロセススケールと仕様書の対象となる製品の大きさに応じた製品規模スケールから特定される製品フィールドに関連付けて記憶されている。
【００１５】
用語集選択手段１ａは、プロセススケールと製品規模スケールが指定されると、用語集記憶手段１ｂから指定されたプロセススケールと製品規模スケールに対応する指定用語集２ａを取得する。
【００１６】
用語抽出手段１ｃは、用語集選択手段１ａが取得した指定用語集２ａから、仕様書を作成するための文字入力操作に応じて用語３を抽出し、抽出した用語３をユーザに対して提示する。
【００１７】
たとえば、ユーザからキーボードなどの入力手段から仕様書を作成するための文字入力操作を受け付け、受け付けた文字入力操作に応じて指定用語集２ａから用語３を抽出し、変換候補として表示手段に出力することによってユーザに提示する。そして、ユーザから変換候補として提示した用語３が選択されると、仕様書の一部を構成する用語として確定する。
【００１８】
このように、指定された指定フィールドに対応付けられた指定用語集の中から仕様書を作成するための文字入力操作に対応する用語を抽出するので、製品のプロセススケールや製品規模スケールに応じた用語を用いて仕様書を作成することが可能となる。
【００１９】
次に、本発明の仕様書作成支援プログラムを端末装置に適用した場合の実施の形態について図面を参照して詳細に説明する。
図２は、本実施の形態に用いる端末装置のハードウェア構成例を示す図である。端末装置１００は、ＣＰＵ（Central Processing Unit）１０１によって装置全体が制御されている。ＣＰＵ１０１には、バス１０６を介してＲＡＭ（Random Access Memory）１０２、ハードディスクドライブ（ＨＤＤ:Hard Disk Drive）１０３、グラフィック処理装置１０４、および入力インタフェース１０５が接続されている。
【００２０】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００２１】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０６を介してＣＰＵ１０１に送信する。
【００２２】
以上のようなハードウェア構成によって、本実施の形態の処理機能を実現することができる。
次に、端末装置１００が有する処理機能について説明する。
【００２３】
図３は、端末装置の処理機能を示す図である。図３に示すように、端末装置１００は、用語集記憶部１１０、仕様書記憶部１２０、用語集選択部１３０、用語抽出部１４０、仕様書作成部１５０、仕様書選択部１６０、および仕様書ソート部１７０を備えている。
【００２４】
用語集記憶部１１０には、仕様書に用いられる用語と用語の意味などが記憶されている用語集が、仕様書の対象となる製品の業務工程に応じたプロセススケールと製品の大きさに応じた製品規模スケールから特定される製品フィールドに関連付けて記憶されている。
【００２５】
仕様書記憶部１２０は、作成された仕様書が、仕様書の対象となる製品の製品フィールドに関連付けて記憶されている。
用語集選択部１３０は、仕様書を作成するときに指定フィールドがユーザから指定されると、用語集記憶部１１０に記憶されている用語集の中から指定フィールドに関連付けられている用語集（以下、「指定用語集」という）を選択し、取得する。
【００２６】
用語抽出部１４０は、ユーザによる仕様書を作成するための文字入力操作に応じて、用語集選択部１３０が取得した指定用語集から用語を抽出し、抽出した用語を文字入力操作に基づいてソートし、ユーザに対してモニタ１１などを介して提示する。
【００２７】
仕様書作成部１５０は、ユーザから仕様書の新規作成要求があると仕様書のひな形を読み出し、仕様書の作成処理を開始する。そして、用語抽出部１４０が提示した用語がユーザによって選択されると、作成中の仕様書へ仮登録を行う。また、ユーザから作成中の仕様書を対応する製品フィールドに対応付けて仕様書記憶部１２０に登録する旨の指示を受けると、作成中の仕様書と同一の内容の仕様書が仕様書記憶部１２０にないかを検索する。もし、同一の内容の仕様書がなかった場合には作成中の仕様書を登録し、同一の内容の仕様書があった場合には作成中の仕様書を登録しない。
【００２８】
なお、同一の内容の仕様書があるか否かの判断は、たとえば指定フィールドに対応付けて仕様書記憶部１２０にあらかじめ記憶されている仕様書（以下、「登録仕様書」という）と作成中の仕様書をワードマッチングし、作成中の仕様書に対して一定以上の類似度をもつ登録仕様書があった場合に同一の内容の仕様書があると判断する。
【００２９】
また、仕様書作成部１５０は、ユーザから仕様書の上書き作成指示があると、仕様書記憶部１２０から上書き作成を行う仕様書を取得する。そして、用語抽出部１４０が提示した用語が選択されると取得した仕様書へ仮登録を行う。また、ユーザから登録指示を受けると、作成中の仕様書と同一の内容の仕様書が仕様書記憶部１２０にないかを検索する。もし、同一の内容の仕様書がなかった場合には作成中の仕様書を登録し、同一の内容の仕様書があった場合には作成中の仕様書を登録しない。
【００３０】
仕様書選択部１６０は、プロセススケールおよび製品規模スケールの少なくともどちらか一方と、検索用語を含む検索クエリをユーザから受け取ると、検索クエリからプロセススケールおよび製品規模スケールの少なくとも一方を読み出す。
【００３１】
そして、検索クエリに含んでいるプロセススケールおよび製品規模スケールによって特定される１または複数の指定フィールドに関連付けて記憶されている全ての仕様書（以下、「指定仕様書」という）を仕様書記憶部１２０から取得する。
【００３２】
仕様書ソート部１７０は、仕様書選択部１６０が取得した全ての指定仕様書の単語出現頻度を検索クエリに設定されている用語に基づいて調べ、単語出現頻度に応じて指定仕様書に重み付けをする。そして、重みに基づいて指定仕様書をソートし、ソート結果の順番で表示する。
【００３３】
一方、指定仕様書が、他の仕様書を引用などするためにリンクを含む場合がある。その場合には、そのリンク先の仕様書（以下、「直接仕様書」という）の単語出現頻度も検索クエリに設定されている用語に基づいて調べ、調べた単語出現頻度に応じて仕様書に重み付けをする。また、指定仕様書が対応付けられている製品フィールドと直接仕様書が対応付けられている製品フィールドの乖離度によっても重み付けを行う。そして、単語出現頻度による重み付けと各製品フィールドの乖離度による重み付けを元に各仕様書の重みを決定する。そして、その重みに基づいて仕様書をソートし、ソート結果の順番で表示する。
【００３４】
また、直接仕様書が、さらに他の仕様書の引用などをするためにリンクを含む場合がある。その場合には、そのリンク先の仕様書（以下、「間接仕様書」という）の単語出現頻度も検索クエリに設定されている用語に基づいて調べ、調べた単語出現頻度に応じて仕様書に重み付けをする。
【００３５】
また、指定仕様書が対応付けられている製品フィールドと間接仕様書が対応付けられている製品フィールドの乖離度によっても重み付けを行う。そして、単語出現頻度による重み付けと各製品フィールドの乖離度による重み付けを元に各仕様書の重みを決定する。そして、その重みに基づいて仕様書をソートし、ソート結果の順番で表示する。
【００３６】
なお、仕様書ソート部１７０は、直接仕様書が対応付けられている製品フィールドに対応するプロセススケールと製品規模スケール、および直接仕様書が対応付けられている製品フィールドに対応するプロセススケールと製品規模スケールの各値の差によって製品フィールドの乖離度を算出する。
【００３７】
また、仕様書ソート部１７０は、直接仕様書が対応付けられている製品フィールドに対応するプロセススケールと製品規模スケール、および間接仕様書が対応付けられている製品フィールドに対応するプロセススケールと製品規模スケールの各値の差によって製品フィールドの乖離度を算出する。
【００３８】
次に、仕様書を作成するときに指定される指定フィールドについて説明する。
図４は、プロセススケールと製品規模スケールから構成される製品フィールドを示す図である。図４に示すように、横軸にプロセススケールが設定され、縦軸には製品規模スケールが設定されている。プロセススケールとしては、仕様書の対象となる製品の業務工程の順番に左から右へ企画・開発／設計・製造・試験・フィールド・回収の６段階のスケールが設定されている。製品規模スケールとしては、製品の規模の大きい順に上から下へサーバ・パソコン・モバイル・ＬＳＩの４段階のスケールが設定されている。このプロセススケールと製品規模スケールによって２４個の製品フィールドが構成される。
【００３９】
このとき、たとえば作成しようとする仕様書が、業務工程としては開発／設計段階に関することであり、かつ製品規模としてはサーバクラスの製品である場合には、プロセススケールの開発／設計と製品規模スケールのサーバを指定する。すると、プロセススケールが開発／設計として対応付けられている、右上から左下にひかれた斜線がひかれた４つの製品フィールドが特定される。また、製品規模スケールがサーバとして対応付けられている左上から右下にひかれた斜線がひかれた６つの製品フィールドが特定される。そして、プロセススケールの開発／設計に該当する４つの製品フィールドと製品規模スケールのサーバに該当する６つの製品フィールドのうち、両方に該当する１つの製品フィールドが指定フィールドとして特定される。
【００４０】
次に、端末装置１００に格納されるデータの具体例について説明する。
図５は、用語集のデータ構造例を示す図である。図５に示すように、用語集１１１には、名前、変換候補、意味、英語意味、および選択回数の各欄が設けられている。各欄の横方向に並べられた情報同士が互いに関連付けられ、用語集１１１が関連付けられている製品フィールドに関連付けて記憶される仕様書に用いられる用語に関するレコードを構成している。
【００４１】
名前の欄には、仕様書を作成するときにされる文字入力操作によって入力される用語の名前が設定されている。変換候補の欄には、文字入力操作によって入力される用語の名前を変換するときの変換候補が設定されている。意味の欄には、文字入力操作によって入力される用語の意味が設定されている。英語意味の欄には、文字入力操作によって入力される用語の英語の意味が設定されている。設定回数の欄には、文字入力操作によって入力される用語の名前を変換したときに選択された回数が設定されている。
【００４２】
用語集１１１は、上述のプロセススケールとして開発／設計を指定し、製品規模スケールとしてサーバを指定したときに特定される指定フィールドに対応付けられている用語集を示している。たとえば、１つ目のレコードには、仕様書を作成するときに「えむぴーゆー」と文字入力された場合、変換候補として「ＭＰＵ」が変換候補として存在することを示すことが設定されている。また、変換候補を示すときに意味と英語意味の各欄に設定されている意味と英語の意味を表示することによって、変換候補の「ＭＰＵ」がどのような意味なのかを示すことができるように設定されている。また、変換候補として示された「ＭＰＵ」が選択されると、選択回数として設定されている３が４に変更される。
【００４３】
また、３つ目のレコードには、仕様書を作成するときに「たんい」と文字入力された場合、変換候補として「センチ」が変換候補として存在することを示すことが設定されている。また、意味と英語意味の各欄に設定されている「―――」は、用語の意味と英語の意味が設定されていないことを示している。また、変換候補として示された「センチ」が選択されると、選択回数として設定されている１０が１１に変更される。
【００４４】
また、４つ目のレコードには、仕様書を作成するときに「たんい」と文字入力された場合、変換候補として「メートル」が変換候補として存在することを示すことが設定されている。また、意味と英語意味の各欄に設定されている「―――」は、上述の３つ目のレコードと同様に用語の意味と英語の意味が設定されていないことを示している。また、変換候補として示された「メートル」が選択されると、選択回数として設定されている３が４に変更される。
【００４５】
また、３つ目と４つ目のレコードの名前の欄には、「たんい」という同一の名前が設定されているため、文字入力操作によって「たんい」という用語が入力されると、「センチ」と「メートル」が変換候補として選択される。そして、それぞれの選択回数の欄に設定されている数字から選択された回数が多い「センチ」を先に、選択された回数が少ない「メートル」を後に表示する。選択された回数が多い方が重要な用語である可能性が高いので選択された回数が多い方から順に表示する。
【００４６】
以上のような機能およびデータを有している端末装置１００により、以下の処理が行われる。
図６は、端末装置による仕様書作成処理の手順を示すフローチャートである。以下、図６に示す処理をステップ番号に沿って説明する。
【００４７】
〔ステップＳ１１〕用語集選択部１３０は、ユーザが指定したプロセススケールと製品規模スケールから指定フィールドを特定する。たとえば、仕様書に記載された番号からプロセススケールと製品規模スケールを判別することによって指定フィールドを特定する。
【００４８】
〔ステップＳ１２〕用語集選択部１３０は、特定した指定フィールドに対応付けられた指定用語集を用語集記憶部１１０に記憶されている用語集の中から選択し、取得する。
〔ステップＳ１３〕用語抽出部１４０は、ユーザから文字入力操作を受け付ける。
【００４９】
〔ステップＳ１４〕用語抽出部１４０は、ユーザからの文字入力操作に応じて用語集から用語を抽出する。
〔ステップＳ１５〕用語抽出部１４０は、抽出した用語のレコードの選択回数の欄に基づいてソートする。
【００５０】
〔ステップＳ１６〕用語抽出部１４０は、ソートした用語をソート結果の順番に変換候補として表示する。そして、仕様書作成部１５０は、表示された変換候補から用語が選択されると、選択された用語を仕様書内に取り込み、用語集１１１の選択された用語の選択回数の欄の数字を１加算する。
【００５１】
〔ステップＳ１７〕仕様書作成部１５０は、仕様書作成終了指示をユーザから受け付けたか否かを判断する。終了指示を受け付けた場合には処理をステップＳ１８へ進め、終了指示を受け付けていない場合には処理をステップＳ１３へ進める。
【００５２】
〔ステップＳ１８〕仕様書作成部１５０は、仕様書を登録する旨の指示をユーザから受け付けたか否かを判断する。登録する旨の指示を受け付けた場合には処理をステップＳ１９へ進め、登録をする旨の指示を受け付けていない場合には処理を終了する。
【００５３】
〔ステップＳ１９〕仕様書作成部１５０は、作成中の仕様書と同一の内容の仕様書が仕様書記憶部１２０内にあるか否かを判断する。同一の内容の仕様書がない場合には処理をステップＳ２０へ進め、同一の内容の仕様書がある場合には処理を終了する。
【００５４】
〔ステップＳ２０〕仕様書作成部１５０は、作成中の仕様書を指定フィールドに対応付けて仕様書記憶部１２０に記憶させる。
このような処理を行うことにより、指定フィールドに対応付けられた指定用語集の中から、仕様書を作成するための文字入力操作に対応する用語を抽出するので、製品のプロセススケールや製品規模スケールに応じた用語を用いて仕様書を作成することが可能となる。
【００５５】
また、作成した仕様書を記憶させるときに、先に同一の仕様書が記憶されていないか否かを判断するので、同一の内容の仕様書が重複して記憶されることを防ぐことが可能となる。
【００５６】
次に、作成されて記憶されている仕様書を検索するときの仕様書検索処理について説明する。
図７は、仕様書を検索するときに入力される検索クエリの内容を示す図である。図７に示すように、検索クエリ２００には、製品規模スケール、プロセススケール、製品保証期間、処理速度、容量、制約、および対象の各項目が設定されており、各項目には、値が設定されている。
【００５７】
端末装置１００は、仕様書検索処理開始指示を受けると、ユーザから検索クエリ２００を受け取り、検索クエリ２００内に設定されている項目からユーザが閲覧を希望する仕様書だと思われるものを選択する。選択した仕様書が複数あるときには、検索クエリ２００に設定されている項目を用いて重み付けを行い、重み付けの結果の順番に検索結果として表示する。
【００５８】
以下、上述の検索クエリ２００を用いた仕様書検索処理をフローチャートを用いて詳細に説明する。
図８は、端末装置による仕様書検索処理の手順を示すフローチャートである。以下、図８に示す処理をステップ番号に沿って説明する。
【００５９】
〔ステップＳ２１〕仕様書選択部１６０は、検索開始指示を受けると、検索クエリ２００を受け取る。
〔ステップＳ２２〕仕様書選択部１６０は、受け取った検索クエリ２００に設定されているプロセススケールと製品規模スケールを読み出す。読み出したプロセススケールと製品規模スケールから指定フィールドを特定する。
【００６０】
〔ステップＳ２３〕仕様書選択部１６０は、特定した指定フィールドに対応付けて記憶されている全ての指定仕様書を選択する。そして、選択した全ての指定仕様書を仕様書記憶部１２０から取得する。
【００６１】
〔ステップＳ２４〕仕様書ソート部１７０は、仕様書選択部１６０が取得した全ての指定仕様書の各々に、検索クエリ２００に設定されている項目や単語がどのくらいずつ含まれているかを検索する。以下、検索クエリ２００に設定されている項目や単語が仕様書内にどのくらい含まれているかの度合いを単語出現頻度という。
【００６２】
〔ステップＳ２５〕仕様書ソート部１７０は、各指定仕様書の単語出現頻度に応じて、各仕様書に対して重み付けを行う。
〔ステップＳ２６〕仕様書ソート部１７０は、各指定仕様書に付けられた重みに基づいてソートを行う。
【００６３】
〔ステップＳ２７〕仕様書ソート部１７０は、ソート結果に基づいて指定仕様書を表示する。
このような処理を行うことにより、指定フィールドに対応付けられた指定仕様書のみの単語出現頻度を検索し、重み付けを行うので、仕様書を早く検索することが可能となる。また、指定フィールドに対応付けられた指定仕様書のみが結果として表示されるので、指定フィールド以外の製品フィールドに対応付けられた仕様書が結果として表示されず、不必要な仕様書が結果に混ざることを防ぐことが可能となる。
【００６４】
なお、上述のように用語集選択部１３０が指定フィールドに関連付けられて記憶されている指定用語集を選択・取得し、用語抽出部１４０が、指定用語集から文字入力操作に応じて用語を抽出・提示する旨の説明をしたが、用語の抽出は指定用語集からのみに限定する必要はない。
【００６５】
たとえば、指定フィールドが特定されたときに、指定フィールドに所定の範囲内で近傍する近傍フィールドを同時に特定する。そして、指定用語集を選択・取得すると同時に、近傍フィールドに対応付けて記憶されている用語集（以下、「近傍用語集」という）も選択・取得する。そして、ユーザからの文字入力操作に応じて指定用語集と近傍用語集から用語を抽出・提示するようにしてもよい。このとき、各用語の重み付けは、指定フィールドと近傍フィールドの距離と、各用語になされた重み付けの双方を勘案することによってなされる方法が考えられる。
【００６６】
このように近傍用語集を用いて仕様書を作成することができるようにすることによって、指定用語集に設定されていない用語を用いて仕様書を作成することが可能となる。
また、上述のように用語集に設定された選択回数によって用語がソートされる旨の説明をしたが、用語のソートを選択回数のみによって行う必要はない。たとえば、ある用語が連続で３回選択されたときには、その用語を重要度が最も高い用語であると判断するなどのソートルールを別個に設定してもよい。
【００６７】
また、上述のようにプロセススケールと製品規模スケールによって製品フィールドが構成される旨の説明をしたが、たとえば同じプロセススケールを用いて別個のスケールを設定してもよい。
【００６８】
〔第２の実施の形態〕
次に、本発明の第２の実施の形態について説明する。本実施の形態は、検索クエリにプロセススケールが含まれないことが異なる以外は、第１の実施の形態と同様である。このため、上記第１の実施の形態とほぼ同様の構成部分については同一の符号を付すなどして適宜その説明を省略する。
【００６９】
図９は、プロセススケールと製品規模スケールから構成される製品フィールドを示す図である。図９に示すように、横軸にプロセススケールが設定され、縦軸には製品規模スケールが設定されている。プロセススケールとしては、仕様書の対象となる製品の業務工程の順番に左から右へ企画・開発／設計・製造・試験・フィールド・回収の６段階のスケールが設定されている。製品規模スケールとしては、製品の規模の大きい順に上から下へサーバ・パソコン・モバイル・ＬＳＩの４段階のスケールが設定されている。このプロセススケールと製品規模スケールによって２４個の製品フィールドが構成される。
【００７０】
このとき、たとえば検索しようとする仕様書が、製品規模としてはサーバクラスの製品である場合には、製品規模スケールのサーバを指定する。すると、製品規模スケールがサーバとして対応付けられている左上から右下にひかれた斜線がひかれた６つの製品フィールドが指定フィールドとして特定される。
【００７１】
上述のように複数の製品規模スケールが指定フィールドとして特定されたときの仕様書検索処理についてフローチャートを用いて詳細に説明する。
図１０は、端末装置による仕様書検索処理の手順を示すフローチャートである。以下、図１０に示す処理をステップ番号に沿って説明する。
【００７２】
〔ステップＳ３１〕仕様書選択部１６０は、検索開始指示を受けると、検索クエリ２００内を受け取る。
〔ステップＳ３２〕仕様書選択部１６０は、受け取った検索クエリに設定されている製品規模スケールを読み出す。読み出した製品規模スケールから、複数の製品フィールドからなる指定フィールドを特定する。
【００７３】
〔ステップＳ３３〕仕様書選択部１６０は、特定した指定フィールドに対応付けて記憶されている全ての指定仕様書を選択する。そして、選択した全ての指定仕様書を仕様書記憶部１２０から取得する。
【００７４】
〔ステップＳ３４〕仕様書ソート部１７０は、仕様書選択部１６０が取得した全ての指定仕様書の各々の単語出現頻度を検索する。
〔ステップＳ３５〕仕様書ソート部１７０は、各指定仕様書の単語出現頻度に応じて重み付けを行う。
【００７５】
〔ステップＳ３６〕仕様書ソート部１７０は、各指定仕様書に付けられた重みに基づいてソートを行う。
〔ステップＳ３７〕仕様書ソート部１７０は、ソート結果に基づいて指定仕様書を表示する。
【００７６】
このような処理を行うことにより、検索クエリに製品規模スケールのみが含まれる場合でも、全体の中の一部の製品フィールドが指定フィールドとして特定され、その指定フィールドに対応付けられた指定仕様書のみの単語出現頻度を検索し、重み付けを行うので、仕様書を早く検索することが可能となる。また、指定フィールドに対応付けられた指定仕様書のみが結果として表示されるので、指定フィールド以外の製品フィールドに対応付けられた仕様書が結果として表示されず、不必要な仕様書が結果に混ざることによる情報検索ノイズを防ぐことが可能となる。
【００７７】
なお、検索クエリにプロセススケールのみが含まれる場合も、上述の仕様書検索処理と同様の処理を行うことにより、本実施の形態における仕様書検索処理と同様の効果を生ずる。
【００７８】
〔第３の実施の形態〕
次に、本発明の第３の実施の形態について説明する。本実施の形態は、仕様書に他の仕様書に対するリンクが含まれることが異なる以外は、第１の実施の形態と同様である。このため、上記第１の実施の形態とほぼ同様の構成部分については同一の符号を付すなどして適宜その説明を省略する。
【００７９】
図１１は、仕様書内に他の仕様書に対するリンクが含まれているときの各仕様書間の接続関係を示す図である。図１１に示すように、指定フィールドに関連付けられている指定仕様書３００は、指定フィールド以外の製品フィールドに関連付けられている仕様書３１０、３１１に対するリンク４００を備えている。また、指定フィールドに関連付けられている指定仕様書３０１は、指定フィールド以外の製品フィールドに関連付けられている仕様書３１１に対するリンク４０１を備えている。
【００８０】
検索クエリ２００を取得し、検索クエリ２００内に設定されているプロセススケールと製品規模スケールから指定フィールドが特定し、指定フィールドに関連付けられている指定仕様書３００、３０１を取得すると、検索クエリ２００を用いて各指定仕様書３００、３０１の単語出現頻度を検索する。また、単語出現頻度検索のときに指定仕様書３００内に他の仕様書３１０、３１１に対するリンクを見つけたときには、リンク先の仕様書３１０、３１１の単語出現頻度も検索する。また、単語出現頻度検索のときに指定仕様書３０１内に他の仕様書３１１に対するリンクを見つけたときにも同様に、リンク先の仕様書３１１の単語出現頻度も検索する。
【００８１】
そして、指定仕様書３００の単語出現頻度、仕様書３１０の単語出現頻度と仕様書３１０に対応する製品フィールドと指定フィールドの距離、および仕様書３１１の単語出現頻度と仕様書３１１に対応する製品フィールドと指定フィールドの距離の全てを勘案し、指定仕様書３００の重み付けを行う。また、指定仕様書３０１も同様に、指定仕様書３０１の単語出現頻度、および仕様書３１１の単語出現頻度と仕様書３１１に対応する製品フィールドと指定フィールドの距離を勘案して指定仕様書３０１の重み付けを行う。
【００８２】
そして、指定仕様書３００、３０１に付けられた重みに基づいて検索クエリ２００との類似度が高いかを判断し、類似度が高い方の登録仕様書から順に検索結果として表示する。
【００８３】
図１２は、プロセススケールと製品規模スケールから構成される製品フィールドを示す図である。図１２に示すように、横軸にプロセススケールが設定され、縦軸には製品規模スケールが設定されている。プロセススケールとしては、仕様書の対象となる製品の業務工程の順番に左から右へ企画・開発／設計・製造・試験・フィールド・回収の６段階のスケールが設定されている。製品規模スケールとしては、製品の規模の大きい順に上から下へサーバ・パソコン・モバイル・ＬＳＩの４段階のスケールが設定されている。このプロセススケールと製品規模スケールによって２４個の製品フィールドが構成される。
【００８４】
このとき、たとえば検索しようとする仕様書が、業務工程としては開発／設計段階に関することであり、かつ製品規模としてはサーバクラスの製品である場合には、プロセススケールの開発／設計と製品規模スケールのサーバを指定する。すると、プロセススケールが開発／設計として対応付けられている、右上から左下にひかれた斜線がひかれた４つの製品フィールドが特定される。また、製品規模スケールがサーバとして対応付けられている左上から右下にひかれた斜線がひかれた６つの製品フィールドが特定される。そして、プロセススケールの開発／設計に該当する４つの製品フィールドと製品規模スケールのサーバに該当する６つの製品フィールドのうち、両方に該当する１つの製品フィールドが指定フィールドとして特定される。
【００８５】
また、特定された指定フィールドに関連付けられている指定仕様書に指定フィールド以外の製品フィールドに関連付けられている仕様書に対するリンクがある場合、リンクの対象となる仕様書を直接仕様書といい、直接仕様書が関連付けられている製品フィールドをリンクフィールドという。
【００８６】
たとえば、リンク仕様書が、業務工程としては試験段階に関することであり、かつ製品規模としてはモバイルクラスの製品である場合には、プロセススケールが試験であり、製品規模スケールがモバイルである製品フィールドがリンクフィールドとして特定される。
【００８７】
以下、直接仕様書に対するリンクを含む仕様書を検索する仕様書検索処理をフローチャートを用いて詳細に説明する。
図１３は、端末装置による仕様書検索処理の手順を示すフローチャートである。以下、図１３に示す処理をステップ番号に沿って説明する。
【００８８】
〔ステップＳ４１〕仕様書選択部１６０は、検索開始指示を受けると、検索クエリ２００を受け取る。
〔ステップＳ４２〕仕様書選択部１６０は、受け取った検索クエリ２００に設定されているプロセススケールと製品規模スケールを読み出す。読み出したプロセススケールと製品規模スケールから指定フィールドを特定する。
【００８９】
〔ステップＳ４３〕仕様書選択部１６０は、特定した指定フィールドに対応付けて記憶されている全ての指定仕様書を選択する。そして、選択した全ての指定仕様書を仕様書記憶部１２０から取得する。
【００９０】
〔ステップＳ４４〕仕様書選択部１６０は、取得した全ての指定仕様書から他の仕様書に対するリンクを検索し、リンクされている直接仕様書を選択する。
〔ステップＳ４５〕仕様書選択部１６０は、選択した全ての直接仕様書を取得する。
【００９１】
〔ステップＳ４６〕仕様書ソート部１７０は、仕様書選択部１６０が取得した全ての仕様書の各々の単語出現頻度を検索する。
〔ステップＳ４７〕仕様書ソート部１７０は、各仕様書の単語出現頻度と、指定フィールドとリンクフィールドの距離の双方を勘案して各仕様書に対して重み付けを行う。直接仕様書の場合は、指定フィールドからリンクフィールドまでの乖離度によって直接仕様書が所望の仕様書である可能性が低くなるため、指定フィールドとリンクフィールドの距離に応じて重みを軽くする。
【００９２】
〔ステップＳ４８〕仕様書ソート部１７０は、各仕様書に付けられた重みに基づいてソートを行う。
〔ステップＳ４９〕仕様書ソート部１７０は、ソート結果に基づいて仕様書を表示する。
【００９３】
このような処理を行うことにより、指定仕様書と直接仕様書のみの単語出現頻度を検索し、指定仕様書と直接仕様書に対して重み付けを行うので、仕様書を早く検索することが可能となる。また、指定仕様書と、指定仕様書に関連する直接仕様書のみが結果として表示されるので、不必要な仕様書が結果に混ざることを防ぐことが可能となる。
【００９４】
なお、指定仕様書に直接仕様書に対するリンクが含まれているときの説明をしたが、直接仕様書にさらにリンクが含まれていることも考えられる。
図１４は、直接仕様書に間接仕様書に対するリンクが含まれる場合の接続関係を示す図である。直接仕様書にリンクフィールド以外の製品フィールドに関連付けられている仕様書に対するリンクがある場合、リンクの対象となる仕様書を間接仕様書というとき、図１４に示すように、指定仕様書３２０は、直接仕様書３４０に対するリンク４２０、直接仕様書３３０に対するリンク４２１、および直接仕様書３３１に対するリンク４２２を備えている。また、直接仕様書３３０は、間接仕様書３４１に対するリンク４３０を有し、直接仕様書３３１は、間接仕様書３４２に対するリンク４３１を備えている。
【００９５】
仕様書選択部１６０は、間接仕様書があるときには、直接仕様書から間接仕様書に対するリンクを検索し、リンクされている間接仕様書を選択・取得する。そして、仕様書ソート部１７０は、間接仕様書の単語出現頻度を検索し、検索した単語出現頻度と、間接仕様書が関連付けられている製品フィールドと指定フィールドの距離の双方を勘案して各間接仕様書に対して重み付けを行う。
【００９６】
なお、間接仕様書の場合は、指定フィールドから間接仕様書が関連付けられている製品フィールドまでの乖離度によって間接仕様書が所望の仕様書である可能性が低くなるため、指定フィールドと間接仕様書が関連付けられている製品フィールドの距離に応じて重みを軽くする。また、間接仕様書は指定仕様書とは直接関連している可能性が低いため、直接仕様書よりもさらに重みを軽くする処理を行ってもよい。
【００９７】
このような処理を行うことにより、指定仕様書、直接仕様書、および間接仕様書のみの単語出現頻度を検索し、指定仕様書、直接仕様書、および間接仕様書に対して重み付けを行うので、仕様書を早く検索することが可能となる。また、指定仕様書、直接仕様書、および間接仕様書のみが結果として表示されるので、不必要な仕様書が結果に混ざることを防ぐことが可能となる。
【００９８】
なお、上記の処理機能は、コンピュータによって実現することができる。その場合、仕様書作成支援装置が有すべき機能の処理内容を記述した仕様書作成支援プログラムが提供される。その仕様書作成支援プログラムをコンピュータで実行することにより、上記処理機能がコンピュータ上で実現される。処理内容を記述した仕様書作成支援プログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、フレキシブルディスク、磁気テープなどがある。光ディスクには、ＤＶＤ（Digital Versatile Disc）、ＤＶＤ−ＲＡＭ、ＣＤ−ＲＯＭ（Read Only Memory）、ＣＤ−Ｒ（Recordable）／ＲＷ（ReWritable）などがある。光磁気記録装置には、ＭＯ（Magneto Optical disk）などがある。
【００９９】
仕様書作成支援プログラムを流通させる場合には、たとえば、その仕様書作成支援プログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにその仕様書作成支援プログラムを転送することもできる。
【０１００】
仕様書作成支援プログラムを実行するコンピュータは、たとえば、可搬型記録媒体に記録された仕様書作成支援プログラムもしくはサーバコンピュータから転送された仕様書作成支援プログラムを、自己の記憶装置に格納する。そして、コンピュータは、自己の記憶装置から仕様書作成支援プログラムを読み取り、仕様書作成支援プログラムに従った処理を実行する。なお、コンピュータは、可搬型記録媒体から直接仕様書作成支援プログラムを読み取り、その仕様書作成支援プログラムに従った処理を実行することもできる。また、コンピュータは、サーバコンピュータから仕様書作成支援プログラムが転送される毎に、逐次、受け取った仕様書作成支援プログラムに従った処理を実行することもできる。
【０１０１】
なお、本発明は、上述の実施の形態にのみ限定されるものではなく、本発明の要旨を逸脱しない範囲内において種々の変更を加えることができる。
上記については単に本発明の原理を示すものである。さらに、多数の変形、変更が当業者にとって可能であり、本発明は上記に示し、説明した正確な構成および応用例に限定されるものではなく、対応する全ての変形例および均等物は、添付の請求項およびその均等物による本発明の範囲とみなされる。
【０１０２】
（付記１）  所定の製品に関する仕様書の作成を支援する仕様書作成支援プログラムにおいて、
コンピュータを、
仕様書の対象となる業務工程に応じたプロセススケールと、対象となる製品が空間を占める大きさに応じた製品規模スケールとから特定される製品フィールドの中から、１の前記プロセススケールと１の前記製品規模スケールとが指定されることによって指定フィールドが特定されると、前記仕様書に用いられる用語の集合体である用語集が前記製品フィールドに関連付けて記憶されている用語集記憶手段から、前記指定フィールドに対応付けられた指定用語集を選択する用語集選択手段、
前記仕様書を作成するための文字入力操作が行われた場合は、前記指定用語集から前記文字入力操作に対応する用語を抽出し、前記抽出した用語を文字列候補として提示する用語抽出手段、
として機能させることを特徴とする仕様書作成支援プログラム。
【０１０３】
（付記２）  前記用語集には、前記用語の意味をも含むことを特徴とする付記１記載の仕様書作成支援プログラム。
（付記３）  前記用語集選択手段として、前記指定用語集とともに、前記指定フィールドに所定の範囲内で近傍する近傍フィールドに対応付けられた近傍用語集を、前記近傍フィールドに対応する前記プロセススケールおよび前記製品規模スケールの値と、前記指定フィールドに対応する前記プロセススケールおよび前記製品規模スケールの値との差に応じて重み付けし、
前記用語抽出手段として、前記重み付けに応じた優先順位で前記指定用語集および前記近傍用語集を検索する、
処理を実行させることを特徴とする付記１記載の仕様書作成支援プログラム。
【０１０４】
（付記４）  前記コンピュータに、さらに、
作成された前記仕様書を作成時に設定された前記指定フィールドに関連付け、登録仕様書として仕様書記憶手段に登録する仕様書登録手段、
前記プロセススケールおよび前記製品規模スケールの少なくともどちらか一方と、前記用語を含むクエリが設定されて前記登録仕様書の検索要求が行われると、前記クエリに基づいて前記仕様書記憶手段を検索し、前記クエリに適合する前記登録仕様書を抽出する仕様書検索手段、
として機能させることを特徴とする付記１記載の仕様書作成支援プログラム。
【０１０５】
（付記５）  前記仕様書登録手段として、作成された前記仕様書を前記仕様書記憶手段に登録するときに、作成された前記仕様書と同一の前記製品フィールドに関連付けられて前記仕様書記憶手段にあらかじめ登録されている前記登録仕様書との類似度を判断する
処理を実行させることを特徴とする付記４記載の仕様書作成支援プログラム。
【０１０６】
（付記６）  前記仕様書検索手段として、前記クエリに基づいて検索された前記登録仕様書を起点として、前記登録仕様書と前記登録仕様書に関連する登録仕様書とを結び付けるリンク情報を順にたどり、前記リンク情報によって結び付けられた前記登録仕様書を全て抽出し、抽出された前記登録仕様書に出現する前記クエリ内の用語の単語出現頻度を算出し、前記単語出現頻度に応じて抽出された前記登録仕様書間の類似度を特定する、
処理を実行することを特徴とする付記４記載の仕様書作成支援プログラム。
【０１０７】
（付記７）  所定の製品に関する仕様書の作成を支援する仕様書作成支援装置において、
前記仕様書に用いられる用語の集合体である用語集が、前記仕様書の対象となる業務工程に応じたプロセススケールと対象となる製品が空間を占める大きさに応じた製品規模スケールとから特定される製品フィールドに関連付けて記憶されている用語集記憶手段と、
前記製品フィールドの中から、１の前記プロセススケールと１の前記製品規模スケールとが指定されることによって指定フィールドが特定されると、前記指定フィールドに対応付けられた指定用語集を選択する用語集選択手段と、
前記仕様書を作成するための文字入力操作が行われた場合は、前記指定用語集から前記文字入力操作に対応する用語を抽出し、前記抽出した用語を文字列候補として提示する用語抽出手段と、
を有することを特徴とする仕様書作成支援装置。
【図面の簡単な説明】
【０１０８】
【図１】本実施の形態に適用される発明の概念図である。
【図２】本実施の形態に用いる端末装置のハードウェア構成例を示す図である。
【図３】端末装置の処理機能を示す図である。
【図４】プロセススケールと製品規模スケールから構成される製品フィールドを示す図である。
【図５】用語集のデータ構造例を示す図である。
【図６】端末装置による仕様書作成処理の手順を示すフローチャートである。
【図７】仕様書を検索するときに入力される検索クエリの内容を示す図である。
【図８】端末装置による仕様書検索処理の手順を示すフローチャートである。
【図９】プロセススケールと製品規模スケールから構成される製品フィールドを示す図である。
【図１０】端末装置による仕様書検索処理の手順を示すフローチャートである。
【図１１】仕様書内に他の仕様書に対するリンクが含まれているときの各仕様書間の接続関係を示す図である。
【図１２】プロセススケールと製品規模スケールから構成される製品フィールドを示す図である。
【図１３】端末装置による仕様書検索処理の手順を示すフローチャートである。
【図１４】直接仕様書に間接仕様書に対するリンクが含まれる場合の接続関係を示す図である。
【図１５】従来の仕様書の管理方法を示す図である。
【符号の説明】
【０１０９】
１  コンピュータ
１ａ  用語集選択手段
１ｂ  用語集記憶手段
１ｃ  用語抽出手段
２  用語集
２ａ  指定用語集
３  用語
【図１】
2007265081.tif 000003
【図２】
2007265081.tif 000004
【図３】
2007265081.tif 000005
【図４】
2007265081.tif 000006
【図５】
2007265081.tif 000007
【図６】
2007265081.tif 000008
【図７】
2007265081.tif 000009
【図８】
2007265081.tif 000010
【図９】
2007265081.tif 000011
【図１０】
2007265081.tif 000012
【図１１】
2007265081.tif 000013
【図１２】
2007265081.tif 000014
【図１３】
2007265081.tif 000015
【図１４】
2007265081.tif 000016
【図１５】
2007265081.tif 000017